(57)【要約】小さな走査運動を発生するためのリアクションホイール組立体を使用する輸送手段制御システムを開示する。このシステムは、大きな旋回運動を発生するため、低価格の制御モーメントジャイロの鋏状の対と組み合わせて使用される。
2004538439.tif 000002
【特許請求の範囲】
【請求項１】
輸送手段用制御システムであって、前記輸送手段用制御システムは、
前記輸送手段に制御された走査運動を提供するように動作可能な、リアクションホイール配列と、
鋏状に対をなした制御モーメントジャイロであって、前記制御モーメントジャイロは、それぞれ、スピン軸と角運動量ベクトルを有する、前記制御モーメントジャイロと、
前記鋏状の対のスピン軸を回転させることにより、運動量ベクトルの方向を変え、かつ、前記スピン軸の回転量に従って逆方向と同方向とこれらの方向の間の方向とに作用する手段と、
を有する、輸送手段用制御システム。
【請求項２】
請求項１に記載の装置において、前記鋏状の対のスピン軸の運動は単一の平面内に制御される、前記装置。
【請求項３】
請求項１に記載の装置において、前記鋏状の対は、走査と走査の間に迅速な輸送手段旋回再配向するための大トルクの発生に使用される、前記装置。
【請求項４】
請求項３に記載の装置において、前記リアクションホイール配列によって生じる走査運動を、前記鋏状の対によって発生する運動量で補助する、前記装置。
【請求項５】
請求項３に記載の装置において、前記鋏状の対は外乱を発生させ、前記リアクションホイール組立体は前記外乱を緩和するために使用される、前記装置。
【請求項６】
鋏状の対におけるＣＭＧ数が２以上である場合に、前記ＣＭＧ数は平面５におけるトルクと運動量の発生に関連して使用される。
【請求項７】
請求項１に記載の装置において、前記鋏状の対の運動量ベクトルは実質的に平面内に位置する、前記装置。
【請求項８】
請求項１に記載の装置において、前記輸送手段は人工衛星であり、前記走査運動は地球上の標的を観察するために行われる、前記装置。
【請求項９】
請求項８に記載の装置において、前記人工衛星の前記走査運動は、レーダーアンテナで使用するために生じさせられる、前記装置。
【請求項１０】
人工衛星と前記人工衛星に取り付けられた走査装置を制御する方法であって、前記方法は、
Ａ．リアクションホイール組立体を使用して前記走査装置の走査運動を生じさせる工程と、
Ｂ．鋏状の対をなす制御モーメントジャイロの少なくとも一つの鋏状の対を使用して、前記人工衛星の旋回運動を生じさせる工程と、
を含む、前記方法。
【請求項１１】
請求項１０に記載の方法において、前記方法は、更に、
Ｃ．鋏状の対をなす制御モーメントジャイロの少なくとも一つの鋏状の対を使用して、前記リアクションホイール組立体が前記走査運動を生じるのを補助する工程を含む、前記方法。
【請求項１２】
請求項１０に記載の方法において、前記方法は、
Ｃ．前記リアクションホイール組立体を使用して、少なくとも一つの鋏状の対によって生じた外乱を緩和させる工程を含む、前記方法。
【発明の詳細な説明】
【０００１】
【発明の属する技術分野】
本発明は、輸送手段（ｖｅｈｉｃｌｅｓ）の位置制御に関し、更に詳細には、人工衛星の分野に主な用途がある制御モーメントジャイロ（ＣＭＧ）及びリアクションホイール組立体（ＲＷＡ）等の運動量装置を使用する位置制御を使用した位置制御に関する。
【０００２】
【従来の技術】
ＣＭＧ及びＲＷＡは、角運動量を使用することにより人工衛星を位置決めし回転するのに使用されてきた。ＣＭＧは、スピニング質量（ｓｐｉｎｎｉｎｇ  ｍａｓｓ）を小さなトルクで第２軸線を中心として回転させたときに第１軸線に沿って比較的大きなトルクを発生するように作動する。このプロセスは、多くの場合、トルク増倍と呼ばれる。ＲＷＡは、質量を高速で又は低速でスピンさせるとき、スピン軸に沿って比較的小さなトルクを及ぼすスピニング質量を含む。従って、ＣＭＧの組み合わせ（通常は３個又はそれ以上がアレイをなしている）を、これらのＣＭＧのトルクを様々な組み合わせを使用して任意の所望の回転方向で加えることができるように、非一致（ｎｏｎ−ｃｏｉｎｃｉｄｅｎｔａｌ）取り付けプレートに配置する。リアクションホイール組立体は、同様に、任意の方向に回転させるように整合させた幾つかの（通常は３個又はそれ以上がアレイをなしている）反動ホイールとともに配置される。ＣＭＧは、最も一般的には、大きな及び／又は迅速な移動、又は高精度で移動させる必要がある高慣性の機器、例えば宇宙船の旋回挙動の場合に使用される。ＲＷＡは、通常は、地上の領域又は標的を見るように作動する小型カメラや人工衛星のレーダーアンテナ等のセンサ又は検出器の走査方向の制御といった、小さな移動が必要な場合に使用される。本明細書中、大きな動きを「旋回」と呼び、小さな移動を「走査」と呼ぶ。
【０００３】
ＣＭＧは、これらの装置が、通常は、高い強度及び精度、及びかくして高品質の材料及び洗練されたプロセスを必要とする高価な構造を必要とするため、極めて高価な装置である。ＲＷＡは、設計が遙かに簡単でありこれらが小型の装置に使用されるため、かなり安価な装置である。例えば、地上の標的を走査するのに使用されるけれども、一つの標的領域から別の標的領域にＲＷＡアレイで可能であるよりも更に迅速に移動しなければならない人工衛星で、高慣性の装置を一つの位置から別の位置まで迅速に回転できる安価な装置が必要とされている。
【０００４】
更に、ＣＭＧが出力軸線に大きなトルクを発生するため、トルク増倍によりジンバル軸線に小さなトルクが加わると入力トルクの外乱（ｄｉｓｔｕｒｂａｎｃｅｓ）が増幅され、その結果、装置からの出力トルクに大きな外乱が生じる。これらの外乱は、走査中に宇宙船の向きを正確にしようとするセンサ又は検出器の性能に有害な影響を及ぼす。宇宙船の慣性が十分に小さい場合には、最も正確なＣＭＧでも、宇宙船がセンサを適切な作動に必要な精度で差し向けることができなくする外乱を発生してしまう。逆に、ＲＷＡアレイはＣＭＧと比較した場合、発生する外乱が比較的少なく、走査挙動に良好に適合させる。
【０００５】
ＣＭＧの鋏状の対（Ｓｃｉｓｓｏｒｅｄ  Ｐａｉｒ）と呼ばれる別の装置が存在する。この装置は二つのＣＭＧを含み、これらのＣＭＧは、それらのスピン軸が同じ平面内にあるように位置決めされているが、二つの平行な軸線を中心としてジンバルするように個々に回転させることができる。鋏状の対ＣＭＧは、船外活動中に姿勢を制御するのに使用される人間用バックパックで使用することが提案されている。鋏状の対をなして使用されるＣＭＧは、ＣＭＧアレイと同様に、増倍した外乱をホスト宇宙船に及ぼす場合がある。
【０００６】
【発明が解決しようとする課題及び課題を解決するための手段】
本発明は、ＣＭＧの鋏状の対の概念を使用するが、低精度で及び安価な材料で、及び従って遙かに低価格でＲＷＡと組み合わせて製造される。ＲＷＡアレイにより、走査を行うための正確な三軸トルクが得られ、低価格迅速旋回運動を得るのが必要な場合に鋏状の対から高いトルクを得ることができる。
【０００７】
【発明の実施の形態】
図１では、平らなプレート１２として示すかなり大きな慣性質量を持つ人工衛星１０は、正確に指し向ける必要があるカメラ、レーダーアンテナ、又は科学的プラットホーム等の遠隔感知装置であるのがよいスキャナ１４を収容した態様で示してある。人工衛星１０及びスキャナ１４の目的は、領域Ｔ１として示すような地上の選択的部分即ち標的を見ることである。人工衛星１０に取り付けられた状態で示すＲＷＡアレイは、スキャナ１４に光線２２、２４、及び２６でわかるような移動を生ぜしめ、Ｔ１の全領域が走査されるまで地上の線２８等の線に沿って前後に移動するように作動できる。
【０００８】
更に、図１には、第２領域Ｔ２が示してある。この領域は、標的としていきなり重要になった領域であり、そのため、スキャナ１４が領域Ｔ２を見ることができる位置に人工衛星１０を迅速に移動することが望ましい。ＣＭＧ３２の鋏状の対が宇宙船１０に取り付けられた状態で示してある。これらのＣＭＧは、人工衛星１０を正しく位置決めするのに必要な更に迅速であり且つ更に強力なトルクを発生するのに使用できる。人工衛星１０のヨー軸、ピッチ軸、及びロール軸が、参照番号３４、３５、及び３６の夫々によって示してあるということに着目しなければならない。ＣＭＧの鋏状の対の運動量ベクトルは、一つの位置において反対方向に作用し、これによって正味運動量が加えられない。運動量ベクトルが同じ方向に作用するように移動するとき、これらのベクトルは加算され、本発明において人工衛星１０をロール軸線を中心として移動し、領域Ｔ２を走査する位置に人工衛星を迅速に持っていくように作用するベクトル和を発生する。新たな標的が図１のＴ３のように別の方向である場合には、先ず最初に、ＣＭＧ３２の鋏状の対の運動量ベクトルがロール−ピッチ平面の固有軸線（ｅｉｇｅｎ−ａｘｉｓ）に対して垂直になるまでこれらのＣＭＧの逆方向に向いた運動量ベクトルが逆方向に向いたままであるようにＣＭＧ３２の鋏状の対を一緒に回転させることによって、人工衛星を操作する。その後、運動量ベクトルを個々に回転させ、これらの運動量ベクトルにより、センサ１４を領域Ｔ３と上文中に説明したように整合させる追加の運動量を発生する。鋏状の対は、必ずしもロール−ピッチ平面内に取り付けられていなくてもよく、ピッチ−ヨー平面、ロール−ヨー平面、又は目的により必要とされる任意の固有平面内に取り付けることができるということに着目すべきである。更に、必要であれば、ＣＭＧが誘導する外乱を全て又は或る程度相殺するため、旋回中、ＲＷＡアレイによって供給されるトルクを使用してもよく、場合によってはこのトルクをＣＭＧの鋏状の対からのトルクに加え、旋回を行うための僅かに大きな速度及び出力を提供できるということに着目すべきである。同様に、スキャナ１４について更に大きな速度が望ましい場合には、ＣＭＧの鋏状の対からの運動量バイアスをＲＷＡアレイの出力に加えるのがよい。
【０００９】
図２は、ボックス４８として示す取り付け装置の周囲に四つの異なる方向に取り付けられた四つの反動ホイールを含むＲＷＡアレイ３８を示す。反動ホイール４０は、軸線５０を中心としてスピンする所定の質量を有し、反動ホイール４２は、軸線５２を中心としてスピンする所定の質量を有し、反動ホイール４４は、軸線５４を中心としてスピンする所定の質量を有し、及び反動ホイール４６は、軸線５６を中心としてスピンする所定の質量を有する。これらの軸線５０、５２、５４、及び５６は同じ平面内になく、そのため、反動ホイール４０、４２、４４、及び４６を適正に制御することによって、図１のスキャナ１４を任意の方向に移動できる。ＲＷＡアレイ３８は、破線５８によって示すように人工衛星に取り付けられた状態で示してある。
【００１０】
ＣＭＧ６０の鋏状の対は、図２に示すように、対をなした平行な軸線６６及び６８の夫々を中心として回転するように取り付けられた二つの個々のＣＭＧ６２及び６４を含む。ＣＭＧ６２は、軸線７４を中心としてスピンする所定の質量を有し、これに対しＣＭＧ６４は、軸線７６を中心としてスピンする所定の質量を有する。これによって及ぼされる矢印７４及び７６によって示される運動量ベクトルは、このように、反対方向に作用する。ＣＭＧ６２及び６４は、それらのスピン軸６６及び６８が、破線５８に対して垂直な平面内でいずれの方向にも回転できるように取り付けられている。これは、破線８２及び８４として示す駆動装置によってＣＭＧ６２及び６４に連結されたモータ７８及び８０等の適当な原動手段によって行うことができる。このように、運動量ベクトル７４及び７６を図３に最もよく示すのと同じ方向に加えることができる。
【００１１】
図３のａには、回転矢印７０及び７２の平面に対して垂直な軸線に沿って見たＣＭＧ６２及び６４が示してある。運動量ベクトル７４及び７６が互いに逆方向であり、これにより正味運動量の発生が相殺されることがわかる。図３のｂでは、スピン軸６６及び６８が９０°回転させてある。そのため、両ＣＭＧの運動量ベクトル７４及び７６は上方に向かう。この状態ではベクトルが加算され、そのため運動量の和が上方に向く。図３のｃでは、スピン軸６６及び６８が逆方向に９０°回転させてある。そのため、両ＣＭＧの運動量ベクトルは下方に向く。この状態では、ベクトルが加算され、加算された運動量ベクトルは下方に向く。勿論、スピン軸６６及び６８の回転は、図３のａにおける０°と図３のｂ及びｃにおける±９０°との間のどこかにあり、その結果、運動量ベクトルが加わり、回転平面内の任意の方向に運動量を提供する。これに関し、鋏状の対ＣＭＧは、通常のＣＭＧと異なり、任意の立体的方向に運動量ベクトルを発生できる。上述のように、単一の軸線を中心として回転する鋏状の対を使用するのが適当である。これは、人工衛星の利用可能な他の操作装置によって他の方向が取り扱われるためである。換言すると、本発明の用途において、人工衛星１２の旋回に必要なのは単一の平面だけである。ＣＭＧ６２及び６４は、標準的なジャイロスコープであってもよいが、走査中の正確なトルク用のＲＷＡアレイの存在により、ＣＭＧの品質外乱出力を低くでき、これによって価格を下げることができる。
【００１２】
安価なＣＭＧには、価格以外の利点がある。この利点は次の通りである。三軸ＣＭＧ制御装置は、代表的には、ＣＭＧ回転ジンバルに又はこのジンバルから電気信号を伝えるためにスリップリング又は同様の装置を必要とするけれども、本発明の鋏状の対ＣＭＧは、信号を通すため、ケーブル又は所定限度内で変位する信号伝達アッセンブリを備えているだけであり、そのため、信頼性が向上した簡単な装置が提供されるのである。高価なＣＭＧのトルク品質は、必然的に高いけれども、本発明のＣＭＧには、旋回及び走査の両目的を達成するために低品質のトルク即ち「未処理（ｃｒｕｄｅ）」のトルクを加えることができる。更に、代表的な人工衛星制御装置では、制御に最少３個のＣＭＧを必要とするが、本発明では二つあればよい。ＣＭＧの鋏状の対をリアクションホイール配列と組み合わせて使用することにより、比較的安価なＣＭＧを使用でき、これらのＣＭＧの数を減らすことができる。
【００１３】
従って、走査モードで作動でき、その後、従来可能であったよりも外乱が少ない更に迅速な旋回モードに切り換えることができる制御システムが提供されるということがわかる。これは、従来技術のシステムで使用されていたよりも安価で簡単な機器によって行うことができる。当業者は、例えばＣＭＧの代わりに傾斜テーブル取付型ＲＷＡを使用して、及び宇宙以外の環境でＲＷＡ及び鋏状の対の組み合わせを使用して、旋回及び走査以外の目的について、多くの明白な変更を思い付くであろう。例えば、二つのＣＭＧを鋏状の対として示したが、二つ又はそれ以上の鋏状の対及びそれらの全ての運動量ベクトルを加算することによって出力を二倍、三倍、等にできる。三つ又は他の追加の数のＣＭＧを、これらの運動量ベクトルが１つの位置で無効になり、他の位置で加算されるように配置できる限り、使用できる。３つのＣＭＧをアーム間を１２０°にして「Ｙ字形」形状に配置することにより、無効状態を発生し、次いで角度を変えることによって個々のＣＭＧ運動量の三倍の最大運動量の加算状態を発生する。従って、好ましい実施例の説明に使用した特定の構造及び方法に限定されるものではなく、本発明の範囲は特許請求の範囲によって提供される。
【図面の簡単な説明】
【図１】宇宙飛行体及び走査を受ける地球の一部を示す概略図である。
【図２】本発明によるＲＷＡ及びＣＭＧの鋏状の対の組み合わせを示す図である。
【図３】図３ａ、３ｂ、３ｃは、トルクの方向が鋏状の対のスピン軸の配向によって変化する状態を示す図である。
【符号の説明】
１０  人工衛星
１２  プレート
１４  スキャナ
１６  ＲＷＡ
２２、２４、２６  光線
３２  ＣＭＧ
【図１】
2004538439.tif 000003
【国際公開パンフレット】
2004538439.tif 000004
2004538439.tif 000005
2004538439.tif 000006
2004538439.tif 000007
2004538439.tif 000008
2004538439.tif 000009
2004538439.tif 000010
2004538439.tif 000011
2004538439.tif 000012
2004538439.tif 000013
2004538439.tif 000014
【国際公開パンフレット（コレクトバージョン）】
2004538439.tif 000015
【国際調査報告】
2004538439.tif 000016
2004538439.tif 000017